(57)【特許請求の範囲】
【請求項１】
流れの圧力を受ける受圧部に開口を有すとともに、前記受圧部の周囲から側壁が立設され流路内を摺動することができる受圧体と、前記受圧体を流れの方向と逆方向に付勢する付勢体と、前記受圧部に向けて突設された突起によって最小流量のときの前記受圧体の位置を規定し該受圧部の間に間隙を形成する第１ストッパーと、前記受圧体の位置を表示する表示部とを備え、前記側壁には流れの方向に沿って複数の摺動リブが設けられ、前記間隙に流入した流体が前記受圧部全面に流体圧を作用させるとともに、前記受圧体と前記流路の内壁との間には液膜が形成されることを特徴とする流量チェッカー。
【請求項２】
濾過カートリッジを取り付ける装着部が設けられた浄水路と、前記装着部の流路に設けられた請求項１記載の流量チェッカーと、前記第１ストッパーが前記装着部の流路内に設けられているリブであることを特徴とする浄水器。
【請求項３】
供給された原水をそのまま吐出するストレート吐水流路、シャワーにして吐出するシャワー吐水流路および前記浄水路のどれかに原水の給水路を選択的に接続する水スイッチを備えたことを特徴とする請求項２記載の浄水器。
【発明の詳細な説明】
【０００１】
【発明の属する技術分野】
本発明は、流量のチェックができる流量チェッカー、及び水道栓等に直結して原水をそのまま吐出するか、浄水にして吐出するかを切り換えることができ、吐出状態もそのままストレートに吐出するか、シャワーにするかを切り換えることのできる浄水器に関するものである。
【０００２】
【従来の技術】
近年水に関しての関心が高まり、各家庭や職場においても浄水器の普及が著しい。とくに水道栓等に直結して用いる直結型の浄水器は、小型、軽量で手軽に取り付けて利用することができるため、広く用いられている。この従来の直結型の浄水器は、水道栓の蛇口をひねる感覚で水スイッチを切り換えれば、吐出する水の状態を切り換えることができるものである。すなわち、用途に応じ原水をそのまま吐出するか、浄水にして吐出するかを切り換えることができ、またさらに水の吐出状態もそのままストレートに吐出するか、シャワーにして噴出するのかを切り換えることのできるものである。
【０００３】
そこでこの従来の直結型の浄水器について説明する。図５は従来の浄水器の外観斜視図、図６（ａ）は従来の浄水器の縦断面図、図６（ｂ）は従来の浄水器の吐出口キャップの上面図である。図５において１は水道栓、９は水道栓１と浄水器とを接続する継手パイプ、２は固定ナットである。６は浄水器の下ケース、７はその上ケース、８は水道栓１から流入する原水を浄水にする濾過カートリッジである。４は原水のストレート吐出とシャワー吐出を行う吐出口キャップで、吐出口キャップ４には後述するストレート吐出口４５、シャワー吐出口４７が設けられている。５は浄水のストレート吐出とシャワー吐出を行う両口を備えた浄水吐出部である。３は原水のスレート吐出、シャワー吐出、浄水の吐出など一連の吐出、止水状態を切り換える操作レバーである。操作レバー３が原水のストレート吐出、シャワー吐出を行う位置にあるときは、水は矢印ＡからＦに流れ、浄水吐出を行う位置にあるときは矢印ＡからＢ，Ｃ，Ｄ，Ｅと流れる。
【０００４】
次に浄水器の内部の詳細について説明する。図６（ａ）（ｂ）において１０は水スイッチケースである。水スイッチケース１０には、３つの給水口１０ｂと、後述する原水のストレート用流入口３０およびシャワー用流入口３１と、後述する連結管１６への流入口周囲に設けられた円筒腔壁１０ａが設けられている。１１は回転弁棒で、円筒腔壁１０ａの中に嵌入されている。１１ａは回転弁棒１１に形成された突起カム、１１ｂは回転弁棒１１の外周に形成された水路溝である。突起カム１１ａは水路溝１１ｂ内に設けられている。１２は各水路溝１１ｂを分離する合成ゴム製のＯリングである。１３は継手パイプ９を通って流入した原水からゴミ等を除去するフィルタープレート、１３ａはフィルタープレート１３に形成された多数のフィルター孔、１４は十字状リブ付き弁棒、１５はＤリングである。十字状リブ付き弁棒１４はストレート、シャワー、浄水の３モードの場合３本設けられるとともに、その上端には支軸が形成されてそれぞれがフィルター孔１３ａの１つに挿入され、同時にその十字状リブと下端が給水口１０ｂ内に挿入されている。すなわちこれらのフィルター孔１３ａは本来のゴミ等の除去作用の他、支軸の案内も兼ねている。そして十字状リブ付き弁棒１４は上動されるとＤリング１５が給水口１０ｂを解放して十字リブと給水口１０ｂの間が通水可能になるが、下動されるとＤリング１５が給水口１０ｂを閉止するものである。１６は連結管で、操作レバー３で浄水を選択したとき濾過カートリッジに通水するもので、浄水路の一部を構成するものであり、１８は十字状リブ付き弁棒１４を給水口１０ｂ側に付勢する圧縮バネである。
【０００５】
十字状リブ付き弁棒１４は回転弁棒１１の水路溝１１ｂと整合した位置に置かれており、突起カム１１ａが操作レバー３を回動して十字リブ付き弁棒１４の１つを押し上げると、給水口１０ｂが解放される。突起カム１１ａは回転弁棒１１の水路溝１１ｂ内に設定角度を変えて設けられているから、回動することによってそれぞれ別々に十字リブ付き弁棒１４を押し上げることができる。なお同一角度にすれば同時に２つの以上の十字リブ付き弁棒１４を押し上げることもできる。さらに水路溝１１ｂは、左の１つが連結管１６に連通され、中と右の２つが原水のストレート用流入口３０およびシャワー用流入口３１の位置に設けられているので、十字状リブ付き弁棒１４が操作レバー３によって回動されると、突起カム１１ａの押し上げにより給水口１０ｂのどれかが解放され、水路溝１１ｂのどれかを介してさらに連結管１６、原水のストレート用流入口３０、シャワー用流入口３１のどれかと接続されるものである。
【０００６】
３４は浄水用切り換えスイッチ、３５は浄水吐出部５のシャワー吐出を行うシャワー口であり、浄水吐出部５には図示しないがストレート吐出を行う口がシャワー口３５の前側に設けられている。浄水用切り換えスイッチ３４は回転弁棒１１によって切り換えられ、シャワー口３５とストレート口が適宜切り換えられる。連結管１６は濾過カートリッジ８内に接続され、内部に設けられた活性炭層を通って中空糸膜を通って浄水路の浄水用切り換えスイッチ３４に導かれ、シャワー口３５もしくはストレート口から吐出される。
【０００７】
ところで水スイッチによってストレート用流入口３０、シャワー用流入口３１に選択的に通水される原水は、後述する水スイッチケース１０の下面に設けられたストレート用流路とシャワー用水室４９のどちらかから別々に吐出される。４５は吐出口キャップ４に設けられた円形状のストレート吐出口、４７は同様に吐出口キャップ４に設けられたリング形状のシャワー吐出口である。ストレート吐出口４５は吐出口キャップ４の中央に同心的に立設された円筒部４４から形成され、ストレート用流入口３０と嵌合される。この嵌合によってストレート用流路が形成される。
【０００８】
次にこの直結型の従来の浄水器を用いる場合の動作について説明する。まず原水をストレートに吐出させたいときは、操作レバー３を回動して３つの十字状リブ付き弁棒１４のうちの中央の十字状リブ付き弁棒１４を突起カム１１ａで持ち上げる。このとき他の２つの十字状リブ付き弁棒１４は閉鎖されたままである。水道栓１から流入した原水は継手パイプ９を通って、中央の給水口１０ｂに入り、十字状リブ付き弁棒１４の十字状リブに案内されながら、回転弁棒１１の外周の水路溝１１ｂを介して水スイッチケース１０のストレート用流入口３０を通って、吐出口キャップ４のストレート吐出口４５から吐出される。
【０００９】
また原水をシャワーで吐出させたいときは、操作レバー３を回動して３つの十字状リブ付き弁棒１４のうちの右の十字状リブ付き弁棒１４を突起カム１１ａで持ち上げる。このとき他の２つの十字状リブ付き弁棒１４は圧縮バネ１８によって閉鎖されたままである。水道栓１から流入した原水は継手パイプ９を通って、右の給水口１０ｂに入り、十字状リブ付き弁棒１４の十字状リブに案内されながら、回転弁棒１１の一番右の水路溝１１ｄを介して水スイッチケース１０下面のシャワー用流入口３１を通って、シャワー用水室４９の中に入りシャワー吐出口４７のシャワー孔４０から吐出される。
【００１０】
次に浄水を吐出させたいときには、３つの十字状リブ付き弁棒１４のうちの一番左の十字状リブ付き弁棒１４を突起カム１１ａで持ち上げる。このとき他の２つの十字状リブ付き弁棒１４は圧縮バネ１８によって閉鎖されたままとなる。水道栓１から流入した原水は継手パイプ９を通って、左の給水口１０ｂに入り、十字状リブに案内されながら、回転弁棒１１の一番左の水路溝１１ｂを介して連結管１６に吐き出され、濾過カートリッジ８の中で浄化され、浄水用切り換えスイッチ３４を経て、浄水吐出部５のうち操作レバー３によって選択されたシャワー口３５かストレート口から吐出される。
【００１１】
【発明が解決しようとする課題】
ところで従来の直結型の浄水器においては、濾過カートリッジ８を浄水路に着脱自在に装着するが、濾過カートリッジ８が目詰まり等によって交換時期が到来していても、それを知らないで目詰まりしたまま使用し続けるといったことが生じるという問題があった。また、この交換時期を判断するためのチェック装置を設けるにしても、直結型の浄水器は水道栓１に取り付ける必要があって、非常に小型、軽量にする必要があり、浄水路内に小さく収まるものでなければならない。しかも、浄水器の交換時期を正しく判定するためにも、目詰まりを感度よく検出できるチェック装置でなければならない。このようなチェック装置の１つに流量チェッカーがあるが、浄水器のチェック装置として用いる場合には小型にせざるをえないため、流れが小さいときに応答性が悪く、流路壁の局部的影響を受け易いので、検出にばらつきが生じるものである。そしてこれらの事情から従来流量チェッカーを備えた直結型の浄水器は実用されていない。
【００１２】
そこで本発明は前記従来の問題点を解決するもので、小型、軽量で、流れが小さいときでも応答性がよく、流路壁の局部的影響を受けにくい流量チェッカーを提供することを目的とする。
【００１３】
さらに本発明は、小型、軽量で水道栓に直結することができ、原水をそのままストレートに吐出するか、シャワーとするか、あるいは浄水とするかを簡単に切り換えられ、浄水カートリッジの交換時期を正確に判定でき、流量も適宜確認できる浄水器を提供することを目的とする。
【００１４】
【課題を解決するための手段】
上記目的を達成するために本発明の流量チェッカーは、流れの圧力を受ける受圧部に開口を有すとともに、受圧部の周囲から側壁が立設され流路内を摺動することができる受圧体と、受圧部に向けて突設された突起によって最小流量のときの受圧体の位置を規定し該受圧部の間に間隙を形成する第１ストッパーと、受圧体の位置を表示する表示部とを備え、側壁には流れの方向に沿って複数の摺動リブが設けられ、間隙に流入した流体が受圧部全面に流体圧を作用させるとともに、受圧体と流路の内壁との間には液膜が形成されることを特徴とする。
【００１５】
この発明によれば、小型、軽量で、流れが小さいときでも応答性がよく、流路壁の局部的影響を受けにくい流量チェッカーを提供することができる。
【００１６】
【発明の実施の形態】
本発明の請求項１に記載の発明は、流れの圧力を受ける受圧部に開口を有すとともに、受圧部の周囲から側壁が立設され流路内を摺動することができる受圧体と、受圧部に向けて突設された突起によって最小流量のときの受圧体の位置を規定し該受圧部の間に間隙を形成する第１ストッパーと、受圧体の位置を表示する表示部とを備え、側壁には流れの方向に沿って複数の摺動リブが設けられ、間隙に流入した流体が受圧部全面に流体圧を作用させるとともに、受圧体と流路の内壁との間には液膜が形成される流量チェッカーであり、第１ストッパーの端面と受圧部の間に間隙があるため、受圧体の受圧部が第１ストッパーに関係なく全面流体圧を受けることができる。
【００１７】
また、第１ストッパーの端面から受圧部に向けて突起を突設して間隙を形成するものであるから、間隙を簡単に、かつ確実に設けることができる。
【００１８】
さらに、側壁には流れの方向に沿って複数の摺動リブが設けられているから、受圧体が流路壁に面接触ではなく線接触させることができ、液膜が形成され、円滑に移動させることができる。
【００１９】
さらに請求項２記載の発明は、濾過カートリッジを取り付ける装着部が設けられた浄水路と、装着部の流路に設けられた請求項１〜３記載の流量チェッカーと、第１ストッパーが装着部の流路内に設けられているリブであることを特徴とする浄水器だから、濾過カートリッジからの浄水の量を正確に判定でき、小型、軽量で水道栓に直結することができる。
【００２０】
請求項３記載の発明は、供給された原水をそのまま吐出するストレート吐水流路、シャワーにして吐出するシャワー吐水流路および浄水路のどれかに原水の給水路を選択的に接続する水スイッチを備えたものであるから、原水をそのままストレートに吐出するか、シャワーとするか、あるいは浄水とするかを簡単に切り換えることができる。
【００２１】
まず本発明の一実施の形態における流量チェッカーとそれを用いた浄水器について図面に基づいて詳細に説明する。図１は本発明の一実施の形態における浄水器の外観斜視図、図２（ａ）は本発明の一実施の形態における流量チェッカーとそれを用いた浄水器の縦断面図、図２（ｂ）は本発明の一実施の形態における流量チェッカーとそれを用いた浄水器の吐出口キャップの上面図、図３は本発明の一実施の形態における流量チェッカーとそれを用いた浄水器の横断面図である。従来の浄水器の説明の中で使用した符号と同符号を使用しているものは、基本的に図５、図６（ａ）（ｂ）に関する上記の説明と重複するから、詳しい説明はそこに譲って省略する。図１において１は水道栓、２は固定ナット、３は操作レバー、４は吐出口キャップ、５は浄水吐出部、６は浄水器の下ケース、７はその上ケース、８は濾過カートリッジである。この吐出口キャップ４は下ケース６と一体に形成してもよい。９は継手パイプである。操作レバー３が原水のスレート吐出、シャワー吐出を行う位置にあるときは、水は矢印ＡからＦに流れ、浄水の吐出を行う位置にあるときは矢印ＡからＢ，Ｃ，Ｄ，Ｅと流れる。
【００２２】
次に流量チェッカーとそれを用いた浄水器の内部の詳細について説明する。図２（ａ）（ｂ）、図３、図４において、１０は水スイッチケース、１０ａは円筒腔壁、１０ｂは３つの給水口、１１は回転弁棒、１１ａは突起カム、１１ｂは水路溝である。１２はＯリング、１３はフィルタープレート、１３ａは多数のフィルター孔、１４は十字状リブ付き弁棒、１５はＤリングである。また１６は連結管、１８は圧縮バネである。３０は原水のストレート用流入口３０、３１はシャワー用流入口である。３３は浄水路である。また１９は着脱自在の濾過カートリッジ８内に設けられた活性炭層で、浄水路３３の一部を構成する連結管１６を通って原水が導かれる。浄水路３３には濾過カートリッジ８を着脱自在に取り付けることのできる装着部２４が設けられている。２０は濾過カートリッジ８内に設けられた中空糸膜で、活性炭層１９の内周側に設けられている。原水は濾過カートリッジ８の外周側に設けられた活性炭層１９内を通過して、ここで不純物や残留塩素等を取り除かれ、濾過カートリッジ８の端部で反転して中空糸膜２０内に入る。この中空糸膜２０内で一般細菌等を濾過され、浄水となって浄水路３３に設けられた流量チェッカー２１を経て、浄水吐出部５から吐出される。
【００２３】
ところで、４０は吐出口キャップ４に設けられた多数のシャワー孔、４１，４２は多数のシャワー孔４０のうち外周側２列に形成された仕切リブ、４３は分配リングである。仕切リブ４１，４２は分配リング４３とともに、整流リブとして機能する。これによって外周に配置されたのシャワー孔４０からの噴出流を強めることができ、シャワー孔４０を通しての全体の噴出状態を均一なものにすることができるものである。４５は円形状のストレート吐出口、４４はストレート吐出口４５を形成する円筒部である。水スイッチケース１０のストレート用流入口３０から円筒部が立設されているから、円筒部４４を挿入して嵌合させれば、２つの円筒部でストレート用流路が構成される。４６は分散面部で、水スイッチケース１０に形成されたシャワー用流入口３１と対向した位置で、かつ、シャワー吐出口４７側からシャワー用水室４９内に突出させて設けられている。分散面部４６は分配リング４３と円筒部４４との間に設けた扇状の平面部であって、シャワー用流入口３１と接近させられ、流入する原水がこれを直撃して他の部分に流れを分散させるようになっている。分散面部４６が高い位置にあるので、流れは水スイッチケース１０側に大きな循環流を作ることなく、満遍なくシャワー孔４０のどれにも回り込み仕切リブ４１，４２に案内されて均一に吐出されるものである。
【００２４】
続いて本発明の要部である流量チェッカーについて詳細に説明する。図４（ａ）は本発明の一実施の形態における流量チェッカーの縦断面図、図４（ｂ）は本発明の一実施の形態における流量チェッカーの横断面図、図４（ｃ）は本発明の一実施の形態における流量チェッカーの受圧体の外観図、図４（ｄ）は本発明の一実施の形態における流量チェッカーの側からみた装着部の正面図である。図４（ａ）（ｂ）（ｃ）（ｄ）に基づいて説明すると、２１は流量チェッカーであり、以下述べる受圧体２２、スプリング２３（付勢体）、リブ２５（第１ストッパー）、第２のストッパー２７４等からなり、浄水路３３の中に設けられている。受圧体２２は、流量チェッカー２１の中で可動体となる部材であり、中央に開口をもつリング状の受圧部の部分と下面の一半を一部切り欠いた円筒側壁の部分から構成されている。円筒側壁は受圧部の周囲から立設されている。切り欠かれているのは円筒側部の約１／２高さの位置から先の下半分で、円筒側壁全体の約１／４の大きさの部分である。ここで図３に示す濾過カートリッジ８を取り付けるための装着部２４は挿入管２４１を有し、これが浄水路３３内に挿入される。２５は挿入管２４１の端部に設けられたリブで、最小流量時の受圧体２２に対する第１ストッパーとなるものである。第１ストッパーとしてはリブ２５のほか、挿入管２４１自身の端部を第１ストッパーにしてもよい。また両者を同時に第１ストッパーにするのでもよい。ところで本実施の形態では、リブ２５に受圧体２２側の端面から受圧部に向けて微小な突起２６を突設している。これはリブ２５と受圧部との間に微小な間隙を設けるためのものである。また挿入管２４１が挿入される部分は浄水路３３の他の部分とは異径管となっており、挿入管２４１を挿入すると装着部２４は異径管の段付き部で位置決めされる。
【００２５】
図４（ａ）（ｂ）に示すように、浄水路３３の流路壁から第１の案内リブ２７１，第２の案内リブ２７２，第３の案内リブ２７３が浄水路３３の軸心に向けて突出されており、受圧体２２にはこれらを受け入れる３本の溝２８１，２８２，２８３が形成されている。ただこのうち第１の案内リブ２７１，第３の案内リブ２７３は流れによる受圧体２２のがたつきを防止するために、若干対向位置から少しずらされて設けてある。浄水路３３はＬ字状の管路であって、濾過カートリッジ８側の短管内に流量チェッカー２１が設けられている。しかしこの第２の案内リブ２７２は浄水路３３の軸心に沿って短管側だけでなく長管側にも延びている。この浄水路３３の長管側においては第２の案内リブ２７２の延長部分を含め、軸心を挟む形で４つの案内リブが形成されている。さらに浄水の最大流量時に受圧体２２を停止させる第２のストッパー２７４も浄水路３３から内部に向けて突出されている。２３は第２のストッパー２７４の周囲に取り付けられ、受圧体２２を流れの方向と逆方向に付勢する付勢体であるスプリングである。
【００２６】
受圧体２２の側壁の周囲には流れの方向に沿って３本の微小な摺動リブ２９１が設けられている。これは受圧体２２の面接触を避けるためのものであるから、３本に限らず線接触させることができるのであれば何本でもかまわない。浄水路３３の流路壁は、流量チェッカー２１の付近を透明のアクリルで構成し、目盛り等を設けた表示部が設けてあるので、流路外から内部の受圧体２２の位置を確認でき、流量のチェックができるものである。
【００２７】
そこでこの流量チェッカーの動作について説明する。浄水を吐出する際、浄水が流量チェッカー２１に到達すると、受圧体２２の受圧部とリブ２５との間に、リブ２５の端面から受圧部に向けて突起２６が突設されているから、リブ２５と受圧部との間に微小な間隙が形成されている。従ってもし間隙がない場合には、受圧部がリブ２５の端面、もしくは挿入管２４１の端面とが接触して、この部分では流体圧を受けることができないため、背後からの静圧の作用で受圧体２２の応答性が悪く、動作も不安定でばらつきを生じるが、本実施の形態の流量チェッカー２１によれば、突起で形成された間隙の間に流体が回り込み、受圧体２２の受圧部全面に流体圧が作用するので、受圧体２２の動きが円滑になり、応答性もよく、正確な流量チェックを行うことができる。しかも、受圧体２２の側壁には流れの方向に沿って３本の微小な摺動リブ２９１が設けられているため、受圧体２２は浄水路３３の内壁と線接触するものであるから、摩擦も少なく、前記のリブ２５と受圧部との間隙から流入した浄水が液膜を形成するため潤滑され、きわめて動きが円滑になる。このように本発明の一実施の形態の流量チェッカーによれば、浄水路３３内に設けることができ、小型、軽量の流量チェッカーを提供することができる。また浄水路との摩擦も小さく、感度のよいチェック装置とすることができる。
【００２８】
続いてこの浄水器を用いる場合の動作について説明する。従来例で説明したと同様であるから、これに関する詳細な説明は省略する。原水をストレート吐出させたいときは、操作レバー３を回動して中央の十字状リブ付き弁棒１４を突起カム１１ａで持ち上げ、回転弁棒１１の外周の水路溝１１ｂ、ストレート用流路を介し、ストレート吐出口４５から吐出する。また原水をシャワー吐出させたいときは、操作レバー３を回動して右の十字状リブ付き弁棒１４を突起カム１１ａで持ち上げ、一番右の水路溝１１ｂ、シャワー用流入口３１、シャワー用水室４９を介してシャワー吐出口４７のシャワー孔４０から吐出する。さらに浄水を吐出させたいときには、一番左の十字状リブ付き弁棒１４を突起カム１１ａで持ち上げ、回転弁棒１１の一番左の水路溝１１ｂ、連結管１６、濾過カートリッジ８の中の活性炭層１９、中空糸膜２０を通し、流量チェッカー２１で流量をチェックした後、浄水吐出部５から吐出するものである。このように本発明の一実施の形態の浄水器は、供給された原水をストレート用流路、シャワー用水室４９および浄水路のどれかに選択的に接続する水スイッチと、浄水路に装着される濾過カートリッジ８からの浄水を吐出する浄水吐出部を備えた浄水器であるから、原水をそのまま吐出するか、シャワーとするか、あるいは浄水とするかを水スイッチによって簡単に切り換えられるし、浄水器をコンパクトにすることができるものである。
【００２９】
【発明の効果】
このように本発明の流量チェッカーは、小型、軽量で、流れが小さいときでも応答性がよく、流路壁の局部的影響を受けにくいものである。
【００３０】
また、本発明の浄水器は、小型、軽量で水道栓に直結することができ、原水をそのままストレートに吐出するか、シャワーとするか、あるいは浄水とするかを簡単に切り換えられ、浄水カートリッジの交換時期を正確に判定でき、流量も適宜確認できるものである。
【図面の簡単な説明】
【図１】本発明の一実施の形態における浄水器の外観斜視図
【図２】（ａ）は本発明の一実施の形態における流量チェッカーとそれを用いた浄水器の縦断面図
（ｂ）は本発明の一実施の形態における流量チェッカーとそれを用いた浄水器の吐出口キャップの上面図
【図３】本発明の一実施の形態における流量チェッカーとそれを用いた浄水器の横断面図
【図４】（ａ）は本発明の一実施の形態における流量チェッカーの縦断面図
（ｂ）は本発明の一実施の形態における流量チェッカーの横断面図
（ｃ）は本発明の一実施の形態における流量チェッカーの受圧体の外観図
（ｄ）は本発明の一実施の形態における流量チェッカーの側からみた装着部の正面図
【図５】従来の浄水器の外観斜視図
【図６】（ａ）は従来の浄水器の縦断面図
（ｂ）は従来の浄水器の吐出口キャップの上面図
【符号の説明】
１  水道栓
２  固定ナット
３  操作レバー
４  吐出口キャップ
５  浄水吐出部
６  下ケース
７  上ケース
８  濾過カートリッジ
９  継手パイプ
１０  水スイッチケース
１０ａ  円筒腔壁
１０ｂ  給水口
１１  回転弁棒
１１ａ  突起カム
１１ｂ  水路溝
１２  Ｏリング
１３  フィルタープレート
１３ａ  フィルター孔
１４  十字状リブ付き弁棒
１５  Ｄリング
１６  連結管
１８  圧縮バネ
１９  活性炭層
２０  中空糸膜
２１  流量チェッカー
２２  受圧体
２３  スプリング
２４  装着部
２５  リブ
２６  突起
３０  ストレート用流入口
３１  シャワー用流入口
３３  浄水路
３４  浄水用切り換えスイッチ
３５  シャワー口
４０  シャワー孔
４１，４２  仕切リブ
４３  分配リング
４４  円筒部
４５  ストレート吐出口
４６  分散面部
４７  シャワー吐出口
４９  シャワー用水室
２４１  挿入管
２７１  第１の案内リブ
２７２  第２の案内リブ
２７３  第３の案内リブ
２７４  第２のストッパー
２８１，２８２，２８３  溝
２９１，２９２，２９３  摺動リブ
【図１】
0003627350.tif 000002
【図２】
0003627350.tif 000003
【図３】
0003627350.tif 000004
【図４】
0003627350.tif 000005
【図５】
0003627350.tif 000006
【図６】
0003627350.tif 000007